(57)【要約】【課題】読み取り時間をより短縮することができるフィルムスキャナを提供する。【解決手段】フィルム３の画像を読み取るイメージセンサ４が、フィルム３が搬送されるフィルム支持体２に複数設けられる。各イメージセンサ４は、それぞれが異なる領域において、フィルム３の画像を読み取る。この際、イメージセンサ４が読み取る画像には、フィルムのフレームＦの領域外に設けられた位置決めマークＰも含まれている。読み取られた画像データは、フレームＦごとに記憶部５１に記憶される。フレームＦごとの画像データは、データ処理部５２により、画像データに含まれる位置決めマークＰに基づいてフレームＦ同士が位置合わせされる。【選択図】図１
2007180677.tif 000002
【特許請求の範囲】
【請求項１】
フィルムリールからフィルム支持体に送出されるフィルムの画像を読み取るフィルムスキャナであって、
フィルム送出方向に沿ってフィルム支持体に複数設けられ、それぞれが異なる領域のフィルムの画像を読み取るイメージセンサと、
イメージセンサで読み取ったフィルムの画像をフレームごとに画像データとして記憶する記憶部と、
画像データを処理するデータ処理部とを具備し、
前記イメージセンサは、フィルムのフレームおよびフレーム外に設けられた位置決めマークを含む領域を読み取り領域として読み取り、
前記データ処理部は、イメージセンサで読み取った位置決めマークに基づいてフレーム同士の位置合わせを行うことを特徴とするフィルムスキャナ。
【請求項２】
フィルムの送出量を制御するフィルムリールの駆動制御部を具備し、
前記データ処理部は、予めフィルムの送出量に基づいてイメージセンサが読み取ったフレームに番号付けした上で、イメージセンサがフィルムの画像をフレームごとに読み取る際に、読み取った画像に該当するフレームの番号をフィルムの送出量に基づいて認識し、
前記記憶部は、認識したフレームの番号をイメージセンサが読み取った画像データと対応付けて記憶することを特徴とする請求項１記載のフィルムスキャナ。
【請求項３】
前記位置決めマークは、フィルム送出用の送り穴であることを特徴とする請求項１または２記載のフィルムスキャナ。
【請求項４】
前記イメージセンサは、読み取る色ごとに少なくとも１つずつ設けられることを特徴とする請求項１〜３のいずれかに記載のフィルムスキャナ。
【請求項５】
前記イメージセンサは、ラインセンサであることを特徴とする請求項１〜４のいずれかに記載のフィルムスキャナ。
【請求項６】
前記イメージセンサは、エリアセンサであることを特徴とする請求項１〜４のいずれかに記載のフィルムスキャナ。
【請求項７】
前記複数のイメージセンサは、１フレーム内に配置されることを特徴とする請求項１〜６のいずれかに記載のフィルムスキャナ。
【請求項８】
前記複数のイメージセンサは、別のフレームを同時に読み取り可能に配置されることを特徴とする請求項１〜６のいずれかに記載のフィルムスキャナ。
【請求項９】
前記フィルムは、映像用のフィルムであることを特徴とする請求項１〜８のいずれかに記載のフィルムスキャナ。
【発明の詳細な説明】
【技術分野】
【０００１】
本発明は、フィルムスキャナに関し、特に、映像フィルムを高解像度にデジタル化するためのフィルムスキャナに関する。
【背景技術】
【０００２】
映画等の映像フィルムをＤＶＤ等に記録するために、映像フィルムをスキャンしてデジタル化することが公知である。一方、ＣＣＤ等の受光素子によるラインセンサやエリアセンサを用い、カラー画像の場合はプリズムやフィルタを用いて同じフレームを各色別かつ同時に読み取るいわゆる３板式のフィルムスキャナも公知である（例えば、特許文献１，２参照）。
【０００３】
一方、映画等においては高い解像度の映像が求められる。例えば、Digital Cinema System Specification規格において定義される４Ｋ master（4096×2160画素）以上の解像度が求められている。
【特許文献１】特開２０００−２１６９６５号公報
【特許文献２】特開２００３−３０７６７８号公報
【発明の開示】
【発明が解決しようとする課題】
【０００４】
ところが、このような解像度でのフィルムスキャンは1フレームあたり1秒前後の撮像時間（読み取り時間）が必要となっている。通常、映画のフレーム数は、２４枚／秒であるため、例えば３時間の映画を１本全部読み取るまで丸３日かかる計算となる。したがって非常に時間がかかってしまう問題があった。
【０００５】
本発明は、かかる従来技術の問題点を解決するべくなされたもので、読み取り時間をより短縮することができるフィルムスキャナを提供することを目的とする。
【課題を解決するための手段】
【０００６】
本発明に係るフィルムスキャナは、フィルムリールからフィルム支持体に送出されるフィルムの画像を読み取るフィルムスキャナであって、フィルム送出方向に沿ってフィルム支持体に複数設けられ、それぞれが異なる領域のフィルムの画像を読み取るイメージセンサと、イメージセンサで読み取ったフィルムの画像をフレームごとに画像データとして記憶する記憶部と、画像データを処理するデータ処理部とを具備し、前記イメージセンサは、フィルムのフレームおよびフレーム外に設けられた位置決めマークを含む領域を読み取り領域として読み取り、前記データ処理部は、イメージセンサで読み取った位置決めマークに基づいてフレーム同士の位置合わせを行うことを特徴とするものである。
【０００７】
上記構成のフィルムスキャナによれば、フィルムの画像を読み取るイメージセンサが、フィルムが搬送されるフィルム支持体に複数設けられる。各イメージセンサは、それぞれが異なる領域において、フィルムの画像を読み取る（撮像する）。この際、イメージセンサが読み取る画像には、フィルムのフレーム領域外に設けられた位置決めマークも含まれている（すなわち、イメージセンサによりフィルムのフレーム領域より広い範囲が読み取り領域として読み取られる）。読み取られた画像データは、フレームごとに記憶部に記憶される。フレームごとの画像データは、データ処理部により、画像データに含まれる位置決めマークに基づいてフレーム同士が位置合わせされる。
【０００８】
このように、複数のイメージセンサを用いてフィルムの画像を読み取ることにより、公知のイメージセンサを用いて、より迅速に画像データを読み取ることができる。さらに、フレームごとの画像データをフィルムのフレーム領域外に設けられた位置決めマークに基づいて画像データ上で位置合わせできるため、読み取り後の処理も高精度かつ短時間で行うことができる。また、画像データ上で位置合わせを行うため、元のフィルムが損傷することもない。
【０００９】
好ましくは、フィルムの送出量を制御するフィルムリールの駆動制御部を具備し、前記データ処理部は、予めフィルムの送出量に基づいてイメージセンサが読み取ったフレームに番号付けした上で、イメージセンサがフィルムの画像をフレームごとに読み取る際に、読み取った画像に該当するフレームの番号をフィルムの送出量に基づいて認識し、前記記憶部は、認識したフレームの番号をイメージセンサが読み取った画像データと対応付けて記憶するように構成される。
【００１０】
この場合、予め送出されるフィルムのフレームが番号付けされており、当該番号とフィルムリールにおけるフィルムの送出量（フィルムリールの回転量）とが関連付けられる。そして、データ処理部は、フィルムリールの駆動制御部から伝えられるフィルムの送出量に基づいて、イメージセンサで読み取られた画像データのフレームにおける番号を認識し、当該番号とともに読み取られた画像データを記憶部に記憶させる。
【００１１】
したがって、映像フィルム等のフレームの並びに意味があるフィルムを使用する場合や同じフレームを色ごとに分けて読み取った場合等において、画像データ読み取り後のデータ処理をより効率よく行うことができる。
【００１２】
好ましくは、前記位置決めマークは、フィルム送出用の送り穴であるように構成される。
【００１３】
この場合、位置決めマークをフィルム送出用の送り穴（パーフォレーション）と兼用させる。したがって、フィルムに位置決めマークを別途印刷等により設けることなく、送り穴の画像を読み取ることで、画像データ上での高精度な位置決めを行うことができる。
【００１４】
好ましくは、前記イメージセンサは、読み取る色ごとに少なくとも１つずつ設けられるように構成される。
【００１５】
この場合、読み取る色（例えば、Ｒ，Ｇ，Ｂ）ごとに少なくとも１つずつイメージセンサを設け、それぞれの位置でフィルムを読み取る。公知の３板式のように同じ領域をプリズム等で各色ごとに分けて読み取ると、１つのイメージセンサが読み取り可能な情報（画素）はプリズムを用いて分光することにより減少する。したがって、読み取る色（例えば、Ｒ，Ｇ，Ｂ）ごとに異なるイメージセンサを設けることにより、３板式に比べて、イメージセンサの能力（ＣＣＤの画素等）を効率よく発揮することができる。
【００１６】
好ましくは、前記イメージセンサは、ラインセンサであるように構成される。あるいは、前記イメージセンサは、エリアセンサであるように構成される。
【００１７】
好ましくは、前記複数のイメージセンサは、１フレーム内に配置されるように構成される。あるいは、前記複数のイメージセンサは、別のフレームを同時に読み取り可能に配置されるように構成される。
【００１８】
好ましくは、前記フィルムは、映像用のフィルムであるように構成される。すなわち、上記構成は、フレーム間の位置決めが重要となる映像（動画）用のフィルムに特に効果を奏する。
【発明の効果】
【００１９】
本発明に係るフィルムスキャナによれば、複数のイメージセンサを用いてフィルムの画像を読み取ることにより、公知のイメージセンサを用いてより迅速に画像データを読み取ることができる。さらに、フレームごとの画像データをフィルムの画像領域外に設けられた位置決めマークに基づいて画像データ上で位置合わせできるため、読み取り後の処理も高精度かつ短時間で行うことができる。また、画像データ上で位置合わせを行うため、元のフィルムが損傷することもない。
【発明を実施するための最良の形態】
【００２０】
以下、添付図面を参照しつつ、本発明を実施するための最良の形態について説明する。図１は本発明の一実施形態に係るフィルムスキャナを示す概略側方断面図であり、図２は図１のＡ−Ａ断面図であり、図３は図１のフィルムスキャナにおけるイメージセンサの読み取り領域を示す概略図である。
【００２１】
本発明に係るフィルムスキャナは、図１に示すように、フィルムリール１からフィルム支持体２に送出されるフィルム３の画像を読み取るフィルムスキャナであって、フィルム送出方向に沿ってフィルム支持体２に複数設けられ、それぞれが異なる領域のフィルム３の画像を読み取るイメージセンサ４と、イメージセンサ４で読み取ったフィルム３の画像をフレームＦごとに画像データとして記憶する記憶部５１と、画像データを処理するデータ処理部５２とを具備し、前記イメージセンサ４は、フィルム３のフレームおよびフレーム領域外に設けられた位置決めマークＰを含む領域を読み取り領域Ｓとして読み取り、前記データ処理部５２は、イメージセンサ４で読み取った位置決めマークＰに基づいてフレームＦ同士の位置合わせを行うことを特徴とするものである。
【００２２】
さらに、フィルム３の送出量を制御するフィルムリール１の駆動制御部５３を具備し、前記データ処理部５２は、予めフィルム３の送出量に基づいてイメージセンサ４が読み取ったフレームＦに番号付けした上で、イメージセンサ４がフィルム３の画像をフレームＦごとに読み取る際に、読み取った画像に該当するフレームＦの番号をフィルム３の送出量に基づいて認識し、前記記憶部５１は、認識したフレームＦの番号をイメージセンサ４が読み取った画像データと対応付けて記憶するように構成される。
【００２３】
本実施形態においては、２つのフィルムリール１の巻き取り側（図１向かって左側）に駆動源があり、送り出し側（図１向かって右側）に読み取るフィルム３を巻き付け（フィルムを巻き付けたフィルムリール１を取り付け）た後、フィルムの先端を巻き取り側に取り付けてフィルムリール１を回転させることにより、フィルム支持体２上にフィルム３が送出される。
【００２４】
本実施形態のイメージセンサ４は、ＣＣＤエリアセンサであるように構成される。そして、複数のイメージセンサ４は、別のフレームを同時に読み取り可能に配置されるように構成される。
【００２５】
このため、フィルム支持体２は、少なくともイメージセンサ４の読み取り領域Ｓ以上の開口面を有する複数の開口部２１を有し、イメージセンサ４は、当該開口部２１の下方（フィルム３載置面とは反対側）に設けられる。なお、本実施形態における複数の開口部２１は、フィルム３のフレームＦに対応して等間隔に設けられる。開口部２１はフレーム領域Ｆより広い面積を有しているため、例えば、１つおきのフレームＦを同時に読み取り可能に構成される。これにより、すべての開口部２１において同じようにそれぞれのフレームＦを読み取ることができる。
【００２６】
イメージセンサ４とフィルム３との間には、イメージセンサ４ごとにフィルム３からの透過光をイメージセンサ４に拡大投影するためのプロジェクションレンズ系８および偏光、色分解等の光学フィルタ９（９ｒ，９ｇ，９ｂ）が設けられる。
【００２７】
そして、本実施形態のイメージセンサ４は、読み取る色ごとに少なくとも１つずつ設けられるように構成される。図１においては、赤色（Ｒ）用フィルタ９ｒ、緑色（Ｇ）用フィルタ９ｇ、青色（Ｂ）用フィルタ９ｂごとに１つずつイメージセンサ４が設けられたセンサ群４０が形成されている。
【００２８】
この場合、読み取る色（Ｒ，Ｇ，Ｂ）ごとにそれぞれイメージセンサ４を１つずつ設け、それぞれの位置でフィルム３の画像を読み取る。公知の３板式のように同じ領域をプリズム等で各色ごとに分けて読み取ると、１つのイメージセンサが読み取り可能な情報（画素）はプリズムを用いて分光するにより減少する。したがって、読み取る色（Ｒ，Ｇ，Ｂ）ごとに異なるイメージセンサ４を設けることにより、３板式に比べて、イメージセンサ４の能力（ＣＣＤの画素等）を効率よく発揮することができる。また、プリズムを用いないため、光学系を簡素化および低価格化することができる。
【００２９】
なお、本実施形態においては、Ｒ，Ｇ，Ｂ，Ｒ，Ｇ，Ｂ，Ｒ，…のように、隣り合うイメージセンサ４の読み取る色が互いに異なる配置となっているが、これに限られず、Ｒ，…，Ｒ，Ｇ，…，Ｇ，Ｂ，…，Ｂといったように、読み取る色ごとに偏在する配置としてもよい。
【００３０】
また、フィルム支持体２（および送出されるフィルム３）の上方には、光源となる複数のＬＥＤ６およびＬＥＤ６からの光を均質な光とする拡散板７が設けられる。これにより、拡散板７から照射される光を光源としてフィルム３における透過光をイメージセンサ４により読み取る。
【００３１】
記憶部５１はフレキシブルディスク等の外部記憶媒体のためのドライブやハードディスク装置からなる。また、データ処理部５２および駆動制御部５３は、１または複数のＣＰＵからなる。記憶部５１、データ処理部５２および駆動制御部５３は、制御部５を構成する。なお、この制御部５は、フィルムスキャナに内蔵されてもよいし、外部のコンピュータ端末を接続することにより構成することとしてもよい。
【００３２】
上記構成のフィルムスキャナによれば、フィルム３の画像を読み取るイメージセンサ４が、フィルム３が搬送されるフィルム支持体２に複数設けられる。各イメージセンサ４は、それぞれが異なる領域（フレームＦ）において、フィルム３の画像を読み取る。この際、イメージセンサ４が読み取る画像には、フィルム３のフレームＦの領域（画像領域）外に設けられた位置決めマークＰも含まれている（すなわち、イメージセンサ４によりフィルム３のフレームＦの領域より広い範囲が読み取り領域Ｓとして読み取られる）。
【００３３】
本実施形態において、前記位置決めマークＰは、図３に示すように、フィルム送出用の送り穴（パーフォレーション）であるように構成される。この場合、位置決めマークＰをフィルム送出用の送り穴（パーフォレーション）と兼用させる。したがって、フィルム３に位置決めマークＰを別途印刷等により設けることなく、送り穴の画像を読み取ることで、画像データ上での高精度な位置決めを行うことができる。
【００３４】
制御部５の構成についてより具体的に説明する。図４は図１の制御部の具体例を示すブロック図である。本実施形態の制御部５は、図４に示すように、前記記憶部５１、データ処理部であるデジタル信号処理ユニット（ＤＳＰ：Digital Signal Processor）５２および駆動制御部５３に加え、フィルムスキャナ全体の処理を統括するメインＣＰＵ５４、ユーザからの操作を受け付け、フィルムスキャナの状態を出力する操作パネル等のユーザインターフェイス５５、データ処理部５２で処理されたデータを圧縮するデータ圧縮ユニット５６、圧縮されたデータを外部（ネットワーク等）に出力可能なコネクタ等を有するデータＩ／Ｏ５７およイメージセンサ４の読み取り時期を制御するタイミング制御部５８を有し、各ユニットが信号バス５９を介して通信可能に構成される。タイミング制御部５８は、フィルムリール１の駆動制御部５３から伝えられるフィルム３の送出量に基づいて、フレームＦごとに読み取れるように、イメージセンサ４の読み取りのタイミングを制御する。
【００３５】
また、イメージセンサ４のＣＣＤには、ＣＣＤごとに、ＣＣＤからの信号に対してノイズ低減処理および出力レベル調整を行うＣＤＳ／ＡＧＣ（Corelated Double Sampling/Automatic Gain Control）６０がそれぞれ接続され、さらにＣＤＳ／ＡＧＣ６０には、デジタルデータに変換するためのＡ／Ｄコンバータ６１が接続される。ＣＤＳにより、ビデオ信号に発生したリセットレベルの揺らぎによる低周波ノイズを低減させ、ＡＧＣにより、次段の回路ユニットであるＡ／Ｄコンバータ６１に必要なレベルの信号出力に調整する。なお、ＡＧＣについては映像フィルム読み取りという特性上、接続しないこととしてもよい。Ａ／Ｄコンバータ６１の後にはサブのデジタル信号処理ユニット（ＤＳＰ）６２およびメモリ６３が接続され、データバス６４を介してメインのＤＳＰであるデータ処理部５２に通信可能に接続される。
【００３６】
サブのＤＳＰ６２は、データ処理の自由度を確保するために補助的に設けられている。これにより、例えば、位置決めマーク（パーフォレーション）Ｐに対する位置の補正（正規化）をサブのＤＳＰ６２でイメージセンサ４ごとに行っておくことにより、メインのＤＳＰ５２における全体の位置合わせの処理の高速化を図ることができる。あるいは、メインのＤＳＰ５２で位置補正等のデータ処理を行う間、処理途中のデータを一時的に記憶する際、サブのＤＳＰ６２で圧縮処理し、メモリ６３に記憶させることとしてもよい。
【００３７】
こうして読み取られた画像データは、フレームＦ（読み取り領域Ｓ）ごとに記憶部５１に記憶される。本実施形態においては、予め送出されるフィルム３のフレームＦが番号付けされており、当該番号とフィルムリール１におけるフィルム３の送出量（フィルムリール１の回転量）とが関連付けられる。フィルム３の送出量は、例えば、フィルムリール１をステッピングモータ（図示せず）により回転制御すること等で実現可能である。そして、データ処理部５２は、イメージセンサ４で読み取られた画像データのフレームＦにおける番号を認識し、当該番号とともに読み取られた画像データを記憶部５１に記憶させる。
【００３８】
したがって、特に、映像フィルム等のフレームＦの並びに意味があるフィルム３を使用する場合や同じフレームＦを色ごとに分けて読み取った場合等において、画像データ読み取り後のデータ処理をより効率よく行うことができる。
【００３９】
さらに、フレームＦごとの画像データは、データ処理部５３により、画像データに含まれる位置決めマークＰに基づいてデジタル処理によりフレームＦ同士が位置合わせされる。位置合わせの後、不要なデータ部分をトリミングする。
【００４０】
以上のように、複数のイメージセンサ４を用いてフィルム３の画像を読み取ることにより、公知のイメージセンサ４を用いて、より迅速に画像データを読み取ることができる。さらに、フレームＦごとの画像データをフィルム３のフレームＦの領域外に設けられた位置決めマークＰに基づいて画像データ上で位置合わせできるため、読み取り後の処理も高精度かつ短時間で行うことができる。また、画像データ上で位置合わせを行うため、元のフィルムが損傷することもない。
【００４１】
さらに、イメージセンサ４の数を増やすことによって、読み取りの時間は短縮され、最終的には、リアルタイムでの読み取り（例えば、２４フレーム／秒）が可能となる。
【００４２】
以上、本発明に係る実施の形態を説明したが、本発明は上記実施の形態に限定されるものではなく、その趣旨を逸脱しない範囲内で種々の改良、変更、修正が可能である。
【００４３】
例えば、本実施形態においては、フレームＦと位置決めマークＰとを１つのイメージセンサ４にて読み取る構成について説明したが、別個のセンサを設けて個別に読み取ることとしてもよい。図５は読み取りセンサの構成の他の例を示す図である。なお、図５は図２と同様、図１のＡ−Ａ断面に相当する部分の断面図である。図５の例においては、図２におけるプロジェクションレンズ系８を省いた構成となっている。そして、フレームＦの領域に対応する位置に光学フィルタ９および画像用イメージセンサ４１が設けられ、位置決めマーク９に対応する位置に位置決め用イメージセンサ４２が設けられる。画像用イメージセンサ４１と位置決め用イメージセンサ４２とは、画像データ上で統合可能なように関連付けされて記憶部５１に記憶される。
【００４４】
また、本実施形態においては、イメージセンサ４が読み取る色ごとに少なくとも１つずつ設けられるように構成されるが、複数のイメージセンサ４を用いるのであれば、これに限られず、例えば、プリズムやフィルタを用いて同じフレームを各色別かつ同時に読み取る３板式の構成としてもよい。図６は３板式の読み取り部を採用した例を示す模式図である。図６においては簡単のためフィルム３および読み取り部以外の構成はあえて省略してあるが、図１の実施形態と同様である。この場合、読み取り部は、図６に示すように、フィルム３上面からの透過光を拡大投影するプロジェクションレンズ系８と、入射した光を３つに分割する複合プリズム１１と、複合プリズム１１の３つの出射口にそれぞれ設けられた色分けのための光学フィルタ９ｒ，９ｇ，９ｂと、分光および色分けされた透過光をそれぞれ読み取るイメージセンサ４ｒ、４ｇ、４ｂとを具備する。このような読み取り部を複数配置して同時に別のフレームＦを読み取ることにより、迅速な処理を行うことができるフィルムスキャナをカラー化しつつ、より小型化することができる。
【００４５】
また、イメージセンサとして、ラインセンサ４’を採用する構成も可能である。図７はラインセンサを用いた構成例を示す図である。図７（ａ）はフィルム面側から見た図であり、図７（ｂ）はフィルム側方から見た図である。図７においては２つのラインセンサ４’を隣り合わせて配置する。特に、レンズ１２を介して読み取り領域Ｓ（Ｓ１，Ｓ２，Ｓ３）がフィルムの１フレーム内となるように構成される。この場合、２つのラインセンサ４’により読み取り領域Ｓ１→Ｓ２→Ｓ３→…と順に読み取る。このようにすることで、２つのラインセンサ４’により読み取る時間は実質的に１／２となる。つまり、ｎ個のラインセンサ４’を並列して使用すれば、読み取る時間は実質的に１／ｎとなる。
【００４６】
エリアセンサの場合、画面全体のデータを垂直転送したのち水平転送する必要があるため、データの読み取りに時間がかかる。当然、高解像度の画像データを得るためにイメージセンサの画素数を増やすと読み取り時間は遅くなる。例えば、４０９６×２１６０画素のＣＣＤを採用するエリアセンサ１つでフィルムを読み取っても、２４フレーム／秒（リアルタイム）での読み取りは困難である。そのため、図１等の上記実施形態においては複数のイメージセンサ４を備えて読み取り時間の実質的な短縮を図っている。一方、例えば、仮に、１ライン４０９６画素のデータを９５μｓで読み取り可能なラインセンサを５本並べて、同時に読み取った後、６μｍもしくは６μｍの整数倍の距離だけフィルム３を動かして違う領域を読み取るという構成であれば、１秒間に５／９５μ＝５２６３１ラインの画素分を撮像することが可能となる。これは２４フレーム分の垂直画素数(２１６０×２４＝５１８４０）を上回る。このことは、リアルタイムでの読み取りが可能であることを意味する。
【００４７】
このようにラインセンサ４’を複数配置することにより、読み取り時間を迅速化するとともに、フィルムスキャナ自体を小型化することができる。
【００４８】
なお、エリアセンサを複数隣り合わせて並べて同一フレーム内を読み取る構成としてもよい。
【図面の簡単な説明】
【００４９】
【図１】本発明の一実施形態に係るフィルムスキャナを示す概略側方断面図である。
【図２】図１のＡ−Ａ断面図である。
【図３】図１のフィルムスキャナにおけるイメージセンサの読み取り領域を示す概略図である。
【図４】図１の制御部の具体例を示すブロック図である。
【図５】読み取りセンサの構成の他の例を示す図である。
【図６】３板式の読み取り部を採用した例を示す模式図である。
【図７】ラインセンサを用いた構成例を示す図である。
【符号の説明】
【００５０】
１  フィルムリール
２  フィルム支持体
３  フィルム
４，４’  イメージセンサ
５１  記憶部
５２  データ処理部
５３  駆動制御部
Ｆ  フレーム
Ｐ  位置決めマーク（送り穴）
Ｓ  読み取り領域
【図１】
2007180677.tif 000003
【図２】
2007180677.tif 000004
【図３】
2007180677.tif 000005
【図４】
2007180677.tif 000006
【図５】
2007180677.tif 000007
【図６】
2007180677.tif 000008
【図７】
2007180677.tif 000009